(57)【要約】【課題】レンズ鏡筒の構造を複雑化させることなく簡単な構成でレンズ鏡筒の回転とレンズ鏡筒間の間隔調整とを独立して行うことができる画像読み取りユニットを提供する。【解決手段】本発明の画像読み取りユニットは、原稿からの反射像をライン型光電変換素子１２に縮小結像させる少なくとも二群のレンズと、このレンズをそれぞれ保持して結像レンズ系１６を構成するレンズ鏡筒１４、１５と、ライン型光電変換素子１２とレンズ鏡筒１４、１５とが配置されるベース部材１０とを備え、少なくとも一つのレンズ鏡筒１４とライン型光電変換素子１２とが中間保持部材１３、１９を介してベース部材１０に接着固定されている。【選択図】  図２
2005037550.tif 000002
【特許請求の範囲】
【請求項１】
原稿からの反射像をライン型光電変換素子に縮小結像させる少なくとも二群のレンズと、該レンズをそれぞれ保持して結像レンズ系を構成するレンズ鏡筒と、前記ライン型光電変換素子と前記レンズ鏡筒とが配置されるベース部材とを備え、少なくとも一つのレンズ鏡筒と前記ライン型光電変換素子とが中間保持部材を介して前記ベース部材に接着固定されていることを特徴とする画像読み取りユニット。
【請求項２】
前記レンズ鏡筒のうち隣合うレンズ鏡筒同士の端部が互いに重なり合っていることを特徴とする請求項１に記載の画像読み取りユニット。
【請求項３】
隣り合うレンズ鏡筒のうち前記原稿側のレンズ鏡筒の後端部が前記ライン型光電変換素子側のレンズ鏡筒の前端部を外側から囲っていることを特徴とする請求項２に記載の画像読み取りユニット。
【請求項４】
前記レンズ鏡筒の端部が前記レンズの表面よりも外側に出っ張っていることを特徴とする請求項１に記載の画像読み取りユニット。
【請求項５】
少なくとも一つのレンズ鏡筒が樹脂製であることを特徴とする請求項１に記載の画像読み取りユニット。
【請求項６】
前記レンズが樹脂製であることを特徴とする請求項５に記載の画像読み取りユニット。
【請求項７】
前記レンズの樹脂材料と前記レンズ鏡筒の樹脂材料とが同一であり、該レンズ鏡筒に用いる樹脂材料が遮光性を有する顔料を含有していることを特徴とする請求項６に記載の画像読み取りユニット。
【請求項８】
前記レンズ鏡筒に開口絞りが一体形成されていることを特徴とする請求項５に記載の画像読み取りユニット。
【請求項９】
前記レンズ鏡筒に間隔調整環が一体形成されていることを特徴とする請求項５に記載の画像読み取りユニット。
【請求項１０】
前記レンズ鏡筒を光軸に対して直交する平面で断面したときの前記レンズ鏡筒の外周面が多角形状となっていることを特徴とする請求項１ないし請求項９のいずれか１項に記載の画像読み取りユニット。
【請求項１１】
前記中間保持部材が一対設けられ、該一対の中間保持部材は基底板部と起立板部とから構成され、前記レンズ鏡筒は前記一対の起立板部に互いに対称位置で接着保持されて、前記ベース部材に対して浮いて固定されていることを特徴とする請求項１に記載の画像読み取りユニット。
【請求項１２】
前記一対の中間保持部材による前記レンズ鏡筒の接着箇所同士を結ぶ線分が該レンズ鏡筒の重心を通りかつレンズの光軸と直交することを特徴とする請求項１１に記載の画像読み取りユニット。
【請求項１３】
前記中間保持部材が前記レンズ鏡筒と前記レンズ鏡筒との隙間を被覆する被覆板部を有していることを特徴とする請求項１１に記載の画像読み取りユニット。
【請求項１４】
請求項１ないし請求項１３のいずれか１項に記載の画像読み取りユニットを備えた画像形成装置。
【発明の詳細な説明】
【０００１】
【発明の属する技術分野】
本発明は、構造を大幅に複雑化することなく画像読み取り精度の向上を図ることのできる画像読み取りユニット及びこれを用いた画像形成装置の改良に関する。
【０００２】
【従来の技術】
従来から、画像読み取りユニットには、二群以上のレンズからなる結像レンズ系を有する構造のものが知られている。この従来の画像読み取りユニットでは、副走査方向に原稿の照明光源を移動させ、原稿からの反射光を結像レンズ系を通してライン型光電変換素子に縮小結像させ、このライン型光電変換素子に結像された結像光束を光電変換して画像読み取り信号として出力するようになっている。
【０００３】
その画像読み取りユニットでは、ライン型光電変換素子の受光面上から結像光束が光軸方向にずれると、読み取り画像の劣化が生じることから、各レンズ群の間隔を調整し、読み取り画像が設計規格を満足するようにレンズ間隔の調整を行っている。
【０００４】
また、この画像読み取りユニットでは、図１に示すように、ライン型光電変換素子１の結像に寄与するレンズ２の部分は、破線で囲った領域３の部分であり、この領域３の部分の収差等の結像性能は、レンズの回転方向にばらつきがあり、この領域３の部分がライン型光電変換素子１に平行になるようにレンズ２をセットし、結像光束の結像位置がライン型光電変換素子１の受光面上に結像するようにレンズ２とライン型光電変換素子１との間隔を調整したとしても、レンズ２を回転させて領域４の部分がライン型光電変換素子１と平行になるようにセットすると、結像光束の結像位置がライン型光電変換素子１の受光面上から光軸方向にずれることがあり、画像品質の劣化を招くことになる。
【０００５】
とくに、カラー画像を読み取るための画像読み取りユニットに用いられるレンズでは、青色波長、緑色波長、赤色波長とで結像位置がレンズの回転方向にずれていると、カラー画像を良好に再現することができないことになる。従って、レンズを回転方向に調整することも必要である。
【０００６】
従来、このようなレンズ間隔の調整及びレンズの回転方向を調整して画像の品質の向上を図るために、１個のレンズ鏡筒を２分割して、各レンズを両分割鏡筒に保持させ、その両分割鏡筒の一方の外周と他方の分割鏡筒の内周にそれぞれネジ部を形成して、両ネジ部を螺合させ、両分割鏡筒を回転させることによりレンズ群の間隔調整を行う構成のものが知られている（例えば、特許文献１参照。）。
【０００７】
【特許文献１】
特開平１１−３３７７９９号公報
【０００８】
【発明が解決しようとする課題】
しかしながら、この従来のものは、各分割鏡筒に保持されているレンズ群の間隔調整を行うと、分割鏡筒の回転に伴って各レンズ群が回転するので、レンズ群の回転と間隔調整とを独立して行うことができないという欠点がある。
【０００９】
また、この従来のものでは、ネジ部のガタを防止するために、分割鏡筒に回転方向のガイド部を設ける工夫が為されているが、ガイド部の軸芯とレンズの光軸中心とが偏芯していると、分割鏡筒の回転に伴って光軸中心がガイド部の軸芯回りに回転することになり、これを避けるには鏡筒そのものを高精度に製作しなくてはならず、鏡筒形状が複雑化するのに加えて、その製作も難しい。
【００１０】
本発明は、上記の事情に鑑みて為されたもので、レンズ鏡筒の構造を複雑化させることなく簡単な構成でレンズ鏡筒の回転とレンズ鏡筒間の間隔調整とを独立して行うことができる画像読み取りユニット及びこれを用いた画像形成装置を提供することにある。
【００１１】
【課題を解決するための手段】
請求項１に記載の画像読み取りユニットは、原稿からの反射像をライン型光電変換素子に縮小結像させる少なくとも二群のレンズと、該レンズをそれぞれ保持して結像レンズ系を構成するレンズ鏡筒と、前記ライン型光電変換素子と前記レンズ鏡筒とが配置されるベース部材とを備え、少なくとも一つのレンズ鏡筒と前記ライン型光電変換素子とが中間保持部材を介して前記ベース部材に接着固定されていることを特徴とする。
【００１２】
請求項２に記載の画像読み取りユニットは、前記レンズ鏡筒のうち隣合うレンズ鏡筒同士の端部が互いに重なり合っていることを特徴とする。
【００１３】
請求項３に記載の画像読み取りユニットは、隣り合うレンズ鏡筒のうち前記原稿側のレンズ鏡筒の後端部が前記ライン型光電変換素子側のレンズ鏡筒の前端部を外側から囲っていることを特徴とする。
【００１４】
請求項４に記載の画像読み取りユニットは、前記レンズ鏡筒の端部が前記レンズの表面よりも外側に出っ張っていることを特徴とする。
【００１５】
請求項５に記載の画像読み取りユニットは、少なくとも一つのレンズ鏡筒が樹脂製であることを特徴とする。
【００１６】
請求項６に記載の画像読み取りユニットは、前記レンズが樹脂製であることを特徴とする。
【００１７】
請求項７に記載の画像読み取りユニットは、前記レンズの樹脂材料と前記レンズ鏡筒の樹脂材料とが同一であり、該レンズ鏡筒に用いる樹脂材料が遮光性を有する顔料を含有していることを特徴とする。
【００１８】
請求項８に記載の画像読み取りユニットは、前記レンズ鏡筒に開口絞りが一体形成されていることを特徴とする。
【００１９】
請求項９に記載の画像読み取りユニットは、前記レンズ鏡筒に間隔調整環が一体形成されていることを特徴とする。
【００２０】
請求項１０に記載の画像読み取りユニットは、前記レンズ鏡筒を光軸に対して直交する平面で断面したときの前記レンズ鏡筒の外周面が多角形状となっていることを特徴とする。
【００２１】
請求項１１に記載の画像読み取りユニットは、前記中間保持部材が一対設けられ、該一対の中間保持部材は基底板部と起立板部とから構成され、前記レンズ鏡筒は前記一対の起立板部に互いに対称位置で接着保持されて、前記ベース部材に対して浮いて固定されていることを特徴とする。
【００２２】
請求項１２に記載の画像読み取りユニットは、前記一対の中間保持部材による前記レンズ鏡筒の接着箇所同士を結ぶ線分が該レンズ鏡筒の重心を通りかつレンズの光軸と直交することを特徴とする。
【００２３】
請求項１３に記載の画像読み取りユニットは、前記中間保持部材が前記レンズ鏡筒と前記レンズ鏡筒との隙間を被覆する被覆板部を有していることを特徴とする。
【００２４】
請求項１４に記載の画像形成装置は、請求項１ないし請求項１３のいずれか１項に記載の画像読み取りユニットを備えていることを特徴とする。
【００２５】
【発明の実施の形態】
（実施例１）
図２は本発明に係る画像読み取りユニットの概略構成を示す斜視図であって、この図２において、１０はベース部材、１１はライン型光電変換素子１２を有する撮像素子ユニットである。そのライン型光電権素子１２はここではＲ（レッド）、Ｇ（グリーン）、Ｂ（ブルー）の各光電変換配列素子の画素ラインからなっている。  その撮像素子ユニット１１は、一対の中間保持部材１３、１３を用いてベース部材１０に固定されている。
【００２６】
そのベース部材１０には、レンズ鏡筒１４とこのレンズ鏡筒１４と隣り合ってレンズ鏡筒１５とが配設される。そのレンズ鏡筒１４、１５には少なくとも１つ以上のレンズ群が設けられている。このレンズ鏡筒１４、１５によって図示を略す原稿からの反射光を縮小してライン型光電変換素子１２に結像させる結像レンズ系１６が構成されている。
【００２７】
ここでは、図３に示すように、レンズ鏡筒１４にはレンズ群１７、１８が保持されている。レンズ鏡筒１４は原稿側に位置され、レンズ鏡筒１５は結像側に位置されている。レンズ鏡筒１４の前端部１４ａは原稿面側に向けられており、レンズ鏡筒１４の後端部１４ｂはレンズ鏡筒１５の前端部１５ａの側に向けられている。レンズ鏡筒１５の後端部１５ｂはライン型光電変換素子１２の側に向けられている。
【００２８】
レンズ鏡筒１４の前端部１４ａはレンズ群１７の表面よりも前側に出張っており、レンズ鏡筒１４の後端部１４ｂはレンズ群１８の表面よりも後側に出張っている。
【００２９】
このレンズ鏡筒１４、１５では、１個のレンズ鏡筒を２分割した構造であるので、従来の１個のレンズ鏡筒に較べて軽量化が図られているが、そのレンズ鏡筒１４、１５は合成樹脂製とするのが望ましい。このように、レンズ鏡筒１４、１５を合成樹脂製とすれば、より一層の軽量化を図ることができる。
【００３０】
これによれば、従来の金属製のレンズ鏡筒ではレンズ群を傷つけるおそれがあるが、樹脂製であるのでレンズ群を傷つけるおそれを回避でき、また、従来の金属製のレンズ鏡筒の場合、レンズ群を圧入するときレンズ群に傷がつくのを回避するためにレンズの外径とレンズ鏡筒の内径との間に隙間を設けて、レンズ鏡筒にレンズ群を挿入しやすくしていたので、レンズ群の取付け軸位置精度が劣化するおそれがあったが、レンズ鏡筒１４を合成樹脂製とすれば、レンズ群を圧入手段によりレンズ群を傷つけることなくレンズ鏡筒に位置決め固定することができ、レンズ群のレンズ鏡筒への取付け軸位置精度の高精度化を図ることができる。
【００３１】
その際、レンズ群１７、１８もレンズ鏡筒１４に用いた合成樹脂材料と同一の合成樹脂材料を用いることにすれば、リサイクルの際にレンズ鏡筒１４とレンズ群１７、１８とを分離せずに分解できるのでリサイクル性が向上する。
【００３２】
このレンズ群１７、１８とレンズ鏡筒１４とを同一の合成樹脂材料を用いて製作する場合には、高透過率性を有する樹脂材料を用い、レンズ鏡筒１４には遮光性を与える観点から黒色の顔料をその高透過率性を有する樹脂材料に充填して用いる。レンズ鏡筒１５についても同様である。
【００３３】
そのレンズ鏡筒１４、１５は図４に示すように結像レンズ系１６の光軸Ｏを挟んで左右一対の中間保持部材１９、１９、２０、２０を介してベース部材１０に位置決め固定される。中間保持部材１９、２０は基底板部１９ａ、２０ａと起立板部１９ｂ、２０ｂとから構成されている。
【００３４】
そのレンズ鏡筒１４、１５の位置決め調整は、例えば、以下のようにして行う。
【００３５】
まず、図２に示すように、ライン型光電変換素子１２に対してレンズ鏡筒１４の軸芯が結像レンズ系１６の光軸Ｏに一致するようにしてかつその軸芯がライン型光電変換素子１２の延びる方向中央に位置するようにして、ベース部材１０上の設計上予定された位置にレンズ鏡筒１４を位置決めする。これには、例えば、組み立てロボット（図示を略す）を用いて、レンズ鏡筒１４を矢印α方向、矢印β方向に回動調整すれば良い。そして、ライン型光電変換素子１２上での収差が最も小さい領域３がライン型光電変換素子１２の延びる方向と平行となるようにレンズ鏡筒１４を光軸Ｏのγ方向に回転させる。その収差が規格内であるか否かは、ライン型光電変換素子１２から出力された画像信号を信号処理回路（図示を略す）を用いて処理し、評価することにより行うことができる。
【００３６】
そして、この状態で、そのレンズ鏡筒１４の外周部に紫外線硬化型接着剤２１を塗布する一方、一対の中間保持部材１９の基底板部１９ａ、１９ａに紫外線硬化型接着剤２２を塗布し、ベース部材１０上に一対の中間保持部材１９、１９を立てると共に、起立板部１９ｂ、１９ｂをレンズ鏡筒１４を挟み込むようにしてそのレンズ鏡筒１４の外周部に当てつける。そして、図示を略す紫外線照射装置を用いて紫外線を照射することにより紫外線硬化型接着剤２１、２２を硬化させる。これにより、レンズ鏡筒１４が設計上予定された位置に固定される。その中間保持部材１９、１９は紫外線透過型樹脂を用いて製作するのが望ましい。
【００３７】
次いで、レンズ鏡筒１５をベース部材１０に配設する。そして、レンズ鏡筒１５の軸芯を結像レンズ系１６の光軸Ｏに一致させ、同様にして、図示を略す組み立てロボットを用いてレンズ鏡筒１５を光軸Ｏ（矢印γ方向）の回りに回転させる。これにより、結像レンズ系１６として収差の良好な回転位置を決定できる。次に、レンズ鏡筒１５とレンズ鏡筒１４との間隔Ｈを調整する。これにより、像面湾曲収差の補正がなされる。そして、中間保持部材２０、紫外線硬化型接着剤２１、２２を用いてレンズ鏡筒１５をベース部材１０に固定する。なお、ここでは、ベース部材１０とレンズ鏡筒１４、１５との間にも紫外線硬化型接着剤２３を用いてベース部材１０にレンズ鏡筒１４、１５を固定保持させている。
【００３８】
このように、本発明の実施の形態によれば、レンズ鏡筒１４、レンズ鏡筒１５をそれぞれ独立して回転させることができると共に、レンズ鏡筒１４、１５の回転とは独立して、レンズ鏡筒１４、１５の間隔Ｈの調整を行うことができるので、収差、像面湾曲補正を迅速に行うことができ、ひいては、画像品質の向上を図ることができる。
【００３９】
この発明の実施の形態によれば、図３に示すように、レンズ群１７、１８をレンズ鏡筒１４の前端部１４ａ、後端部１４ｂよりも奥側に位置させているので、組み立て作業中にレンズ鏡筒１４を立て掛けて置いた場合でもレンズ群１７、１８に傷がつくのを防止できる。レンズ鏡筒１５についても同様である。なお、この発明の実施の形態では、レンズ群１７、１８を奥まった位置に設けているが、片方のレンズ群だけ奥まった位置に設ける構成としても良い。
【００４０】
このものは、光学像を読み取る複写機、ファクシミリ装置、スキャナ装置等の画像形成装置に組み込まれる。
（変形例１）  図５に示すように、原稿側のレンズ鏡筒１４の後端部１４ｂと結像側のレンズ鏡筒１５の前端部１５ａとを重なり合わせ、後端部１４ｂが前端部１５ａを包囲する構成とすると、原稿側からの露光反射光がレンズ鏡筒１４とレンズ鏡筒１５との間隔Ｈである隙間からレンズ鏡筒１５に迷光として混入するのを防止できる。
（変形例２）  図６に示すように、結像レンズ系１６には、レンズ群が４群構成のものがある。このものでは、レンズ群２４、２５がレンズ鏡筒１４に保持され、レンズ群２６、２７がレンズ鏡筒１５に保持されている。なお、レンズ群２５は二枚のレンズを貼り合わせた貼り合わせレンズから構成されている。ここでは、レンズ鏡筒１４にレンズ群２４とレンズ群２５との間の間隔を調整するための間隔調整環（スペーサリング）２８を介在させ、レンズ鏡筒１５にレンズ群２６とレンズ群２７との間隔を調整するための間隔調整環（スペーサリング）２９を介在させ、レンズ群２４とレンズ群２５との軸方向の間隔、レンズ群２６とレンズ群２７との軸方向の間隔の位置決め精度の向上を図っている。これにより、レンズ群が４群以上でもその相対位置精度の向上を図ることができる。
【００４１】
また、ここでは、レンズ鏡筒１４とレンズ鏡筒１５との間で、レンズ鏡筒１５の前端部１５ａに開口絞り３０が一体に形成されている。従来の１個タイプの金属製（アルミニウム製）のレンズ鏡筒の場合、レンズ鏡筒の前端部に樹脂製の開口絞りを装着する構成となっているが、このようにレンズ鏡筒を２分割する構成として合成樹脂材料によりレンズ鏡筒を製作することにした場合には、レンズ鏡筒１５そのものと一体に開口絞りを形成することができるので、開口絞りの部品点数を削減できることになる。この開口絞り３０はレンズ鏡筒１４の後端部１４ａに設けることもできる。また、レンズ群２７とレンズ群２８との間に一体形成しても良い。
【００４２】
その間隔調整環２８、２９は、図７に示すようにレンズ鏡筒１４、１５の内周にその周回り方向に一体形成しても良い。図８に示すように従来の非分割タイプの４群のレンズ鏡筒３１の場合には、間隔調整環２８をレンズ鏡筒３１に一体形成すると、奥側に位置するレンズ群２５をレンズ鏡筒３１の前端部３１ａから挿入することができなくなる。また、後端部３１ｂから挿入する場合も境界部３１ｃが邪魔になって挿入できなくなる。
【００４３】
しかし、図７に示すように、２群のレンズ群２４、２５を保持する分割鏡筒の場合には、一方のレンズ群２４をレンズ鏡筒の前端部１４ａから挿入し、他方のレンズ群２５をレンズ鏡筒１４の後端部１４ｂから挿入することができることになるので、レンズ鏡筒１４にレンズを組み込む際に、その組み立て工数の削減、部品点数の削減を図ることができることになる。レンズ鏡筒１５についても同様である。
（実施例２）  画像読み取りユニットは、図９、図１０に示すように、ベース部材１０に凹所３２を形成し、レンズ鏡筒１４、１５を一対の中間保持部材１９、２０を介してベース部材１０に中空支持させる構成とすることもできる。
【００４４】
この構成の場合には、ベース部材１０とレンズ鏡筒１４とを組み立てロボットにより把持し、最初にレンズ鏡筒１４を回転させ、ベース部材１０に対する相対位置を設定する。その後に中間保持部材１９をレンズ鏡筒１４の外周部に接触させてベース部材１０に載置した状態とする。その中間保持部材１９の基底板部１９ａと起立板部１９ｂとには予め紫外線硬化型接着剤２１、２２を塗布しておく。そして、紫外線を照射すると、紫外線の照射により紫外線硬化型接着剤２１、２２が効果収縮する。この硬化収縮の際に、中間保持部材１９がベース部材１０、レンズ鏡筒１４に対して追従移動するので硬化収縮による歪みを軽減できる。
【００４５】
ベース部材１０と基底板部１９ａとの間の紫外線硬化型接着剤２２の膜厚、起立板部１９ｂとレンズ鏡筒１４の外周部との間の紫外線硬化型接着剤２１の膜厚は薄ければ薄いほど、接着剤の硬化収縮量を低減でき、位置決め精度の向上、固定性能の向上を図ることができる。同様にして、レンズ鏡筒１５も中間保持部材２０を介してベース部材１０に固定される。
【００４６】
この場合、一対の中間保持部材１９、１９によるレンズ鏡筒１４の接着箇所Ｋ、Ｋを結ぶ線分Ｋ１がレンズ鏡筒１４の重心Ｇを通り、かつ、結像レンズ系１６の光軸Ｏと直交する構成とするのが望ましい。更には、線分Ｋ１が画素ラインＲ、Ｇ、Ｂに平行であることが望ましい。このように構成すると、レンズ鏡筒１４の耐震性が向上する。レンズ鏡筒１５も同様に構成するのが望ましい。
（実施例３）  画像読み取りユニットは、図１１、図１２に示すように、レンズ鏡筒１４とレンズ鏡筒１５との間隔Ｈである隙間を被覆する構成とすることもできる。ここでは、一対の中間保持部材１９、１９の起立板部１９ｂ、１９ｂに湾曲形状の被覆板部１９ｃ、１９ｃを形成する構成としたものである。このような構成にすると、レンズ鏡筒１４とレンズ鏡筒１５との間の隙間にゴミ、埃が進入するのを防止できると共に、原稿側からの露光による反射光がこのレンズ鏡筒１４、１５間の隙間からレンズ群に進入するのを防止できる。
【００４７】
この実施例３では、一対の起立板部１９ｂ、１９ｂのそれぞれに被覆板部１９ｃ、１９ｃを形成する構成としたが、片方のみに形成して隙間を包囲するようにしても良い。
（実施例４）  画像読み取りユニットは、図１３に示すように、レンズ鏡筒１４を結像レンズ系１６の光軸Ｏに対して直交する平面で断面したときのレンズ鏡筒１４の外周部を多角形状とすることができる。ここでは、レンズ鏡筒１４の外周面が正６角形とされている。このレンズ鏡筒１４によれば、起立板部１９ｂとレンズ鏡筒１４の外周部との間に存在する紫外線硬化型接着剤２１の膜厚の均一化を図ることができる。また、レンズ鏡筒１４の回転方向の位置を所定角度毎に設定できて便利である。ここでは、レンズ鏡筒１４の外周面を正６角形としたが、正三角形、正四角形、正五角形、正７角形以上の構成を採用することもできる。すなわち、正多角形状とするのが望ましい。
【００４８】
より好ましくは、正多角形の角数は偶数であることが望ましく、角数を偶数とすることにより、レンズ鏡筒１４を固定する時に中間保持部材１９、１９の接着面が平行になり、更に角数を４の倍数とすると、レンズ鏡筒１４の上面と底面とを平坦面とすることができ、レンズ鏡筒１４の上下方向長さを短くでき、ひいては、画像読み取りユニット（スキャナー）の厚さを薄くすることができる。
【００４９】
【発明の効果】
請求項１に記載の発明によれば、レンズ鏡筒を複雑化することなく簡単な構成で、レンズ鏡筒の回転とレンズ鏡筒間の間隔調整とを独立して行うことができることになり、従って、レンズ間の距離調整の際にレンズの偏芯による影響を防止しつつ画像品質の向上を図ることができる。
【００５０】
請求項２、請求項３に記載の発明によれば、レンズ鏡筒間から迷光がレンズ群に進入するのを防止でき、迷光に基づく画像品質の劣化を防止できる。
【００５１】
請求項４に記載の発明によれば、画像読み取りユニットの組み立て時にレンズ鏡筒を作業台等に立て掛けて置いた場合でも、レンズ群が奥まった位置にあるので、レンズ群に傷がつくのを防止できる。
【００５２】
請求項５に記載の発明によれば、レンズ鏡筒の軽量化を図ることができ、また、レンズ群をレンズ鏡筒に圧入する構成とすることができ、レンズ群の軸位置決め精度の向上を図ることができる。
【００５３】
請求項６、請求項７に記載の発明によれば、レンズ鏡筒とレンズ群との樹脂材料が同一であるので、リサイクルの際にレンズ群とレンズ鏡筒とに分離して回収する必要がなく、リサイクル性の効率化を図ることができる。
【００５４】
また、請求項７に記載の発明によれば、レンズ鏡筒の遮光性を図ることができる。
【００５５】
請求項８に記載の発明によれば、開口絞りをレンズ鏡筒と一体形成したので、画像読み取りユニットの部品点数を削減でき、また、組み立て工数の削減を図ることができる。更に、開口絞りの位置の高精度化を図ることもできる。
【００５６】
請求項９に記載の発明によれば、間隔調整環がレンズ鏡筒と一体に形成されているので、画像読み取りユニットの部品点数の削減でき、また、組み立て工数の削減を図ることができる。
【００５７】
請求項１０に記載の発明によれば、レンズ鏡筒と中間保持部材の起立板部との間の接着剤の膜厚の均一化を図ることができるので、接着剤の硬化収縮によるレンズ鏡筒の姿勢の変化を極力軽減できる。
【００５８】
請求項１１に記載の発明によれば、接着剤の硬化収縮によるレンズ鏡筒のベース部材に対する位置ズレ等の影響を軽減できる。
【００５９】
請求項１２に記載の発明によれば、接着箇所が重心位置と一致するので、レンズ鏡筒の耐震性の向上を図ることができる。
【００６０】
請求項１３に記載の発明によれば、レンズ鏡筒間の隙間に侵入するゴミ、埃を防止でき、しかも、原稿側からの露光による反射光がこのレンズ鏡筒間の隙間からレンズ群に進入するのを防止できる。
【００６１】
請求項１４に記載の発明によれば、高画質の画像形成装置の製作に寄与できる。
【図面の簡単な説明】
【図１】レンズとライン型光電変換素子との関係を説明するための説明図である。
【図２】本発明の実施例１に係わる画像読み取りユニットの結像光学系の概略構成を示す斜視図である。
【図３】図２に示すレンズ鏡筒の一例を示す断面構成図である。
【図４】図２に示す画像読み取りユニットを正面から見た状態を示す図である。
【図５】図２に示すレンズ鏡筒の変形例１を説明するための断面図である。
【図６】図２に示すレンズ鏡筒の変形例２を説明するための断面図である。
【図７】図６に示すレンズ鏡筒の変形例を説明するための断面図である。
【図８】従来の非分割レンズ鏡筒の不具合を説明するための断面図である。
【図９】本発明の実施例２に係わる画像読み取りユニットを説明するための正面図である。
【図１０】図９に示す画像読み取りユニットの側面図である。
【図１１】本発明の実施例３に係わる画像読み取りユニットの正面図である。
【図１２】図１１に示す画像読み取りユニットの側面図である。
【図１３】本発明の実施例４に係わる画像読み取りユニットの正面図である。
【符号の説明】
１０…ベース部材
１２…ライン型光電変換素子
１４、１５…レンズ鏡筒
１６…結像レンズ系
【図１】
2005037550.tif 000003
【図２】
2005037550.tif 000004
【図３】
2005037550.tif 000005
【図４】
2005037550.tif 000006
【図５】
2005037550.tif 000007
【図６】
2005037550.tif 000008
【図７】
2005037550.tif 000009
【図８】
2005037550.tif 000010
【図９】
2005037550.tif 000011
【図１０】
2005037550.tif 000012
【図１１】
2005037550.tif 000013
【図１２】
2005037550.tif 000014
【図１３】
2005037550.tif 000015